(57)【要約】【課題】釣銭の消費ペースを抑制することが可能な写真撮影装置等を提供する。【解決手段】写真撮影装置２は、ユーザをカメラにより撮影して画像を得る撮影部１１０と、画像をサーバ３からダウンロードするダウンロード部１２０と、画像をプリントするプリント部１３０と、画像をプリントするための課金を受付ける課金部１４０と、を有する。課金部１４０は、サーバ３からダウンロードした画像をプリントする場合、撮影部１１０で撮影した画像をプリントする場合よりも低額の料金を徴収し、当該料金を超える額の貨幣を入金することによるプリントを不可とする。【選択図】図８
2019160009.tif 000002
【特許請求の範囲】
【請求項１】
ユーザをカメラにより撮影して画像を得る撮影部と、
画像をサーバからダウンロードするダウンロード部と、
画像をプリントするプリント部と、
画像をプリントするための課金を受付ける課金部と、
を有し、
前記課金部は、
前記サーバからダウンロードした画像をプリントする際に、前記撮影部で撮影した画像をプリントする際よりも低額の料金を徴収し、必要な料金を超える額の貨幣を入金することによるプリントを不可とすることを特徴とする写真撮影装置。
【請求項２】
前記課金部は、前記サーバからダウンロードした画像をプリントする際に、必要な料金を超える額の貨幣の入金がされた場合、返金を行うことを特徴とする請求項１に記載の写真撮影装置。
【請求項３】
前記課金部は、前記サーバからダウンロードした画像をプリントする際に、電子マネーによる入金を選択可能な課金画面を表示することを特徴とする請求項１または請求項２に記載の写真撮影装置。
【請求項４】
前記課金部は、前記撮影部で撮影した画像をプリントする際に、必要な料金を超える額の貨幣の入金がされた場合、プリントを行うことを特徴とする請求項１から請求項３のいずれかに記載の写真撮影装置。
【請求項５】
請求項１から請求項４のいずれかに記載の写真撮影装置と、
ユーザ端末と、
前記サーバと、
を有し、
前記ユーザ端末は、画像を前記サーバに送信する
ことを特徴とする画像プリントシステム。
【発明の詳細な説明】
【技術分野】
【０００１】
本発明は、写真撮影装置、および画像プリントシステムに関する。
【背景技術】
【０００２】
スマートフォン等の記憶部に格納されたユーザの画像を街頭のプリント装置でプリントする画像プリントサービスは種々存在し、コンビニエンスストアや家電量販店等に設置されているプリント装置でプリントを行うことが可能である。
【０００３】
特許文献１には、証明写真の撮影ボックスにおいて、カメラ付き通信装置（携帯電話）に保存された一般的な画像をプリントできるサービスが記載されている。特許文献１のサービスでは、カメラ付き通信装置からサーバに送信された画像を撮影ボックスでダウンロードしてプリントする。
【先行技術文献】
【特許文献】
【０００４】
【特許文献１】特開2004−240737号公報
【発明の概要】
【発明が解決しようとする課題】
【０００５】
上記のような画像プリントサービスは、ユーザの撮影が不要となることもあり、証明写真の撮影ボックスにおける写真撮影サービスよりも安価で提供することが想定され、５００円硬貨や１０００円紙幣といった高額な貨幣を入金した際に多くの釣銭が生じると考えられる。
【０００６】
画像プリントサービスの利用によって多くの釣銭が発生すると、装置にストックされている釣銭の消費ペースが従来と比較して速くなり、釣銭切れによるサービス停止を余儀なくされると写真撮影サービスまでも提供できずその利益が逸失される。また釣銭の消費ペースが速くなると、釣銭補充のためのスタッフ巡回により運用コストが増加するという懸念もある。
【０００７】
本発明は上記の問題に鑑みてなされたものであり、釣銭の消費ペースを抑制可能な写真撮影装置等を提供することを目的とする。
【課題を解決するための手段】
【０００８】
前述した課題を解決するための第１の発明は、ユーザをカメラにより撮影して画像を得る撮影部と、画像をサーバからダウンロードするダウンロード部と、画像をプリントするプリント部と、画像をプリントするための課金を受付ける課金部と、を有し、前記課金部は、前記サーバからダウンロードした画像をプリントする際に、前記撮影部で撮影した画像をプリントする際よりも低額の料金を徴収し、必要な料金を超える額の貨幣を入金することによるプリントを不可とすることを特徴とする写真撮影装置である。
【０００９】
第１の発明の写真撮影装置では、サーバからダウンロードした画像をプリントする場合に低額の料金を徴収するが、この際当該料金を超える額の貨幣の入金によるプリントをできなくすることで、釣銭の消費ペースを抑制することが可能となり、釣銭切れによるサービス停止や釣銭補充のためのスタッフ巡回による運用コスト増加を防ぐことが可能となる。
【００１０】
前記課金部は、前記サーバからダウンロードした画像をプリントする際に、必要な料金を超える額の貨幣の入金がされた場合、返金を行う。
第１の発明の写真撮影装置では、サーバからダウンロードした画像をプリントする際に、必要な料金を超える額の貨幣の入金自体をできなくしてもよいが、そのような貨幣の入金を可能とする場合には返金を行えばよい。
【００１１】
また、前記課金部は、前記サーバからダウンロードした画像をプリントする際に、電子マネーによる入金を選択可能な課金画面を表示することも望ましい。
電子マネーを用いることで釣銭の発生を防ぎ、丁度良い貨幣の持ち合わせがないユーザでもサービスを利用することが可能となる。
【００１２】
前記課金部は、前記撮影部で撮影した画像をプリントする際に、必要な料金を超える額の貨幣の入金がされた場合、プリントを行う。
本発明では、撮影部で撮影した画像をプリントする場合、サーバからダウンロードした画像をプリントする場合よりも高額の料金を徴収するが、この場合は当該料金を超える額の貨幣の入金によるプリントを可とし、サービスを従来通り提供することができる。
【００１３】
第２の発明は、第１の発明の写真撮影装置と、ユーザ端末と、前記サーバと、を有し、前記ユーザ端末は、画像を前記サーバに送信することを特徴とする画像プリントシステムである。
【発明の効果】
【００１４】
本発明により、釣銭の消費ペースを抑制可能な写真撮影装置等を提供することが可能となる。
【図面の簡単な説明】
【００１５】
【図１】画像プリントシステム１を示す図。
【図２】写真撮影装置２の外観を示す図。
【図３】写真撮影装置２のシステム構成を示す図。
【図４】制御装置２０のハードウェア構成を示す図。
【図５】課金部２２の例を示す図。
【図６】サーバ３のハードウェア構成を示す図。
【図７】ユーザ端末５のハードウェア構成を示す図。
【図８】写真撮影装置２の機能構成を示す図。
【図９】画像プリント方法について示すフローチャート。
【図１０】画像プリント方法について示すフローチャート。
【図１１】課金処理の流れについて示すフローチャート。
【図１２】表示部２１の画面遷移の例。
【図１３】課金画面２００ａ、電子マネー決済画面２００ｂの例。
【図１４】電子マネー決済時のフローを示す図。
【図１５】ユーザによる入金が、写真撮影サービスのメニューを選択する以前、画像プリントサービスを選択する以前に行われていた場合のフローをそれぞれ示す図。
【発明を実施するための形態】
【００１６】
以下、図面に基づいて本発明の好適な実施形態について詳細に説明する。
【００１７】
（１．画像プリントシステム１）
図１は本発明の実施形態に係る画像プリントシステム１を示す図である。本実施形態の画像プリントシステム１は、写真撮影装置２、サーバ３、およびユーザ端末５がネットワーク６を介して通信可能に接続された構成を有する。
【００１８】
写真撮影装置２はユーザが自身の撮影を行うものであり、例えば街頭に設置された証明写真の撮影ボックスである。写真撮影装置２はボックス内のユーザを撮影してその画像を証明写真などとしてプリントする機能（写真撮影サービス）に加え、ユーザ端末５からサーバ３に送信されたユーザの画像のプリントを行う機能（画像プリントサービス）を有する。
【００１９】
図２は写真撮影装置２の外観を示す図であり、図３は写真撮影装置２のシステム構成を示す図である。
【００２０】
写真撮影装置２はユーザが中に入って撮影を行うボックス状の外観を有し、制御装置２０、表示部２１、課金部２２、撮影部２３、照明２４、プリンタ２５、カーテン２７、プリント物取出口２８等を有する。
【００２１】
制御装置２０は写真撮影装置２の内部に設けられ、写真撮影装置２の処理全体を制御する。
【００２２】
図４は制御装置２０のハードウェア構成を示す図である。図４に示すように、制御装置２０は、例えば制御部２１０、記憶部２２０、入力部２３０、通信部２４０等をバス等により接続して構成したコンピュータにより実現できる。但しこれに限ることなく、適宜様々な構成をとることができる。
【００２３】
制御部２１０はCPU、ROM、RAMなどから構成される。CPUは、記憶部２２０、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２２０、ROMなどからロードしたプログラムやデータを一時的に保持するとともに、制御部２１０が各種処理を行うために使用するワークエリアを備える。
【００２４】
記憶部２２０はハードディスクドライブやソリッドステートドライブ、フラッシュメモリ等であり、後述する処理に際し制御装置２０が実行するプログラム、プログラム実行に必要なデータ、OSなどが格納される。これらのプログラムやデータは、制御部２１０により必要に応じて読み出され実行される。
【００２５】
入力部２３０は制御装置２０に各種の設定入力を行うものである。
通信部２４０はネットワーク６等を介した通信を媒介する通信インタフェースであり、サーバ３等との間で通信を行う。
【００２６】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００２７】
課金部２２は、ユーザからの課金やレシートの発行を管理するものである。課金部２２は、コインメック２２１、ビルバリ２２２、レシートジャーナル処理部（レシートプリンタを含む）２２３、ＩＣカードＲ／Ｗ２２４等を有し、入金処理、釣銭処理、レシートの発行に関する処理、電子マネーの決済処理等を実行する。
【００２８】
図５は課金部２２の外観の例である。図５に示すように、課金部２２の前面パネルには、ＩＣカードＲ／Ｗ２２４の他、硬貨投入口２２５、紙幣投入口２２６、釣銭・レシート取出口２２７等が設けられている。
【００２９】
利用者は、硬貨投入口２２５に硬貨を投入したり、紙幣投入口２２６に紙幣を挿入したりすることにより、画像をプリントするための料金を支払う。投入された硬貨や紙幣（以下、貨幣ということがある）はコインメック２２１またはビルバリ２２２で処理され、釣銭がある場合には釣銭・レシート取出口２２７に排出される。また、料金徴収後、レシートジャーナル処理部２２３により徴収金額や注文内容等が印刷されたレシートも釣銭・レシート取出口２２７に排出される。
【００３０】
ＩＣカードＲ／Ｗ２２４は、例えば交通系ＩＣカード等による電子マネー決済を行うためのリーダライタである。ＩＣカードＲ／Ｗ２２４はＩＣカードの残額情報を読取り、その残額を課金分を差し引いた額に書き換える。
【００３１】
撮影部２３は、撮影窓の内側にカメラ等を設けたものである。カメラには例えば高解像度のデジタルカメラが用いられるが、これに限ることはない。
【００３２】
照明２４は、ユーザを含むボックス内の全体を照らす照明である。照明２４は例えば白色の光を照射する面光源であり、撮影部２３の上部に設けられるが、これに限ることはない。なお、写真撮影装置２には撮影時のフラッシュ用にストロボ光源も設けられる。
【００３３】
プリンタ２５は、画像をプリントするものであり、写真撮影装置２の内部に設けられる。画像をプリントしたプリント物はプリント物取出口２８に排出される。プリンタ２５の方式や設置台数等は特に問わない。
【００３４】
カーテン２７は、写真撮影装置２のボックス内を外部から遮るものである。
【００３５】
図１の説明に戻る。サーバ３は、写真撮影装置２でプリントする画像を管理するサーバである。
【００３６】
図６はサーバ３のハードウェア構成を示す図である。図６に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３７】
制御部３１、記憶部３２、入力部３４、通信部３５の機能は前記した制御部２１０、記憶部２２０、入力部２３０、通信部２４０と略同様である。また表示部３３は液晶パネル等のディスプレイ装置を有する。
【００３８】
なお、記憶部３２には後述する処理をサーバ３に実行させるためのプログラムが格納される。また入力部３４はキーボード、マウス等のポインティングデバイス、テンキー等の入力装置を有する。
【００３９】
図１の説明に戻る。ユーザ端末５はユーザが所持するコンピュータ端末であり、例えばスマートフォン等の携帯端末を用いることができる。
【００４０】
図７はユーザ端末５のハードウェア構成を示す図である。図７に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４１】
制御部５１、記憶部５２、入力部５４、通信部５５の機能は前記した制御部２１０、記憶部２２０、入力部２３０、通信部２４０と略同様である。また表示部５３は液晶パネル等のディスプレイ装置を有し、入力部５４としてのタッチパネルが設けられている。音声入出力部５７はマイクやスピーカー等である。
【００４２】
なお、記憶部５２には専用のアプリケーションプログラムが格納されており、これにより後述する処理をユーザ端末５によって実行させる。
【００４３】
図８は写真撮影装置２の機能構成を示す図である。図８に示すように、写真撮影装置２は、撮影部１１０、ダウンロード部１２０、プリント部１３０、課金部１４０等を有する。
【００４４】
撮影部１１０は前記の撮影部２３に対応し、カメラによってボックス内のユーザを撮影して画像を得るものである。
【００４５】
ダウンロード部１２０は、サーバ３から画像をダウンロードするものである。
【００４６】
プリント部１３０は前記のプリンタ２５に対応し、画像のプリントを行うものである。
【００４７】
課金部１４０は前記の課金部２２に対応し、画像をプリントするための課金を受付けるものである。特に本実施形態では、サーバ３からダウンロードした画像をプリントする際に、撮影部１１０で撮影した画像をプリントする際よりも低額の料金を徴収し、且つ必要な料金を超える額の貨幣を入金することによるプリントを不可とする。
【００４８】
（２．画像プリント方法）
次に、本実施形態の画像プリント方法の概略について説明する。図９、１０は画像プリント方法の手順の概略を示すフローチャートである。図９、１０の各ステップのうち、図９のＳ１１、Ｓ１５の処理はユーザ端末５の制御部５１が実行し、図１０のＳ２１〜Ｓ２３、Ｓ２６〜Ｓ３１の処理は写真撮影装置２の制御装置２０が写真撮影装置２の各部を制御することにより実行する。その他の処理はサーバ３の制御部３１が実行する。
【００４９】
本実施形態では、まずユーザが自身のユーザ端末５でアプリケーションを立ち上げ、表示部５３に表示される選択画面（不図示）上で記憶部５２に格納された画像の中からプリントする画像を選択してそのプリント枚数を設定し、サーバ３への送信指示を行う。ユーザ端末５は、選択された画像とそのプリント枚数（画像等という）をサーバ３へ送信する（図９のＳ１１）。
【００５０】
サーバ３は、ユーザ端末５から画像等を受信する（Ｓ１２）と、画像をプリントするための注文ＩＤを作成し、画像等を注文ＩＤと紐付けて記憶部３２に記録する（Ｓ１３）。また、サーバ３は注文ＩＤをユーザ端末５に送信する（Ｓ１４）。ユーザは、ユーザ端末５にて注文ＩＤを受信する（Ｓ１５）。注文ＩＤはプリントする画像等を識別する注文識別情報であり、Ｓ１４では注文ＩＤをコード化した二次元コードをユーザ端末５に送信してもよい。
【００５１】
ユーザは、街頭の写真撮影装置２に向かい、写真撮影装置２のボックス内に入る。写真撮影装置２は、センサ（不図示）でボックス内のユーザを検知すると表示部２１にトップ画面を表示する（図１０のＳ２１）。
【００５２】
図１２（ａ）はこのトップ画面１００の例である。トップ画面１００では、写真撮影サービスへの移行を選択するための選択ボタン１０１と、画像プリントサービスへの移行を選択するための選択ボタン１０２が表示される。ユーザは選択ボタン１０１、１０２のいずれかをタッチすることで、それぞれのサービスへ移行することができる。
【００５３】
写真撮影装置２は、画像プリントサービスへの移行を選択するための選択ボタン１０２がタッチされると（Ｓ２２；画像プリントサービス）、注文ＩＤの入力画面（不図示）を表示し、入力画面で入力された注文ＩＤをサーバ３に送信する（Ｓ２３）。なお、注文ＩＤの入力は前記の二次元コードを写真撮影装置２に設けた読取部（不図示）で読取らせることにより行ってもよい。
【００５４】
サーバ３は、注文ＩＤを受信する（Ｓ２４）と、注文ＩＤに対応する画像等を写真撮影装置２に送信する（Ｓ２５）。
【００５５】
写真撮影装置２は、画像等を受信（ダウンロード）すると（Ｓ２６）、図１２（ｂ）に示すように、受信した画像２０２および課金を促すメッセージ２０１を含む課金画面２００を表示部２１に表示させる。ユーザは画像２０２を確認し、課金部２２にて課金を行う。写真撮影装置２はユーザの課金に応じて後述する課金受付処理を実行する（Ｓ２７）。上記の課金画面２００では、画像プリントサービスの料金２０３と、ユーザによって入金された貨幣の総額（入金額）２０４も表示される。
【００５６】
写真撮影装置２は、画像プリントサービスに必要な料金２０３の入金が行われると、Ｓ２６でダウンロードした画像をプリンタ２５によってプリントする（Ｓ２８）。画像のプリントを行った旨の情報は上記の注文ＩＤ等とともに写真撮影装置２からサーバ３に送信し、注文ＩＤに対応する画像等をサーバ３において削除する。
【００５７】
一方、写真撮影装置２は、トップ画面１００で写真撮影サービスへの移行を選択するための選択ボタン１０１がタッチされると（Ｓ２２；写真撮影サービス）、写真撮影を行うためのメニュー画面を表示し、写真撮影とそのプリントを行うための諸設定（例えばプリント枚数や写真のサイズ、写真の用途（運転免許証用、パスポート用等）など）をメニュー画面にて受付ける（Ｓ２９）。
【００５８】
図１２（ｃ）はこのメニュー画面３００の例であり、本実施形態では上記の諸設定に応じた複数のメニューが選択可能である。ここでは、「Ａ」メニューを選択するための選択ボタン３０１、「Ｂ」メニューを選択するための選択ボタン３０２、「Ｃ」メニューを選択するための選択ボタン３０３が選択可能に表示される。
【００５９】
写真撮影装置２は、いずれかのメニューが選択されると、図１２（ｄ）に示すように、課金を促すメッセージ４０１を含む課金画面４００を表示部２１に表示する。ユーザは課金部２２にて課金を行い、写真撮影装置２はユーザの課金に応じて後述する課金受付処理を実行する（Ｓ３０）。上記の課金画面４００では、写真撮影サービスの料金４０２とユーザによって入金された貨幣の総額（入金額）４０３も表示される。なお、この料金４０２は、メニュー画面３００で選択されたメニューの料金であるが、ここでは単に写真撮影サービスの料金４０２というものとする。
【００６０】
写真撮影装置２は、写真撮影サービスに必要な料金４０２の入金が行われると、ユーザの写真撮影を行い（Ｓ３１）、撮影した画像をプリンタ２５によって証明写真などとしてプリントする（Ｓ２８）。
【００６１】
（３．課金受付処理）
図１１は図１０のＳ２７、Ｓ３０における課金受付処理の流れを示すフローチャートである。
【００６２】
図１１に示すように、写真撮影装置２はまずサービスの判別を行い（Ｓ１０１）、写真撮影サービスの場合（Ｓ１０１；写真撮影サービス）、通常の課金受付処理を実行する。
【００６３】
すなわち、写真撮影装置２は、ユーザによって貨幣の入金が１枚１枚行われるごとに、入金された貨幣の総額と写真撮影サービスの料金４０２を比較する（Ｓ１０２）。
【００６４】
入金された貨幣の総額が写真撮影サービスの料金４０２未満であれば（Ｓ１０２；ＮＯ）、入金待ちの状態となり再度入金が行われるのを待つ。
【００６５】
一方、入金された貨幣の総額が写真撮影サービスの料金４０２以上であれば（Ｓ１０２；ＹＥＳ）、前記したＳ３１（図１０参照）に移行してユーザの撮影が開始される。
【００６６】
Ｓ２８で画像のプリントが行われた後、お釣りが生じる場合は図１２（ｅ）に示すように釣銭があることを示すメッセージ５０１と釣銭の額５０２を含む釣銭返却画面５００を表示部２１に表示して釣銭の返却を行い、その後図１２（ｆ）に示すようにサービス利用のお礼のメッセージ６０１を含む表示画面６００を表示部２１に表示させる。お釣りが無い場合は画像のプリント後に直接表示画面６００の表示を行う。
【００６７】
一方、画像プリントサービスの場合（Ｓ１０１；画像プリントサービス）、写真撮影装置２は、ユーザによって貨幣の入金が１枚１枚行われるごとに、入金された貨幣の額と画像プリントサービスの料金２０３とを比較する（Ｓ１０３）。
【００６８】
入金された貨幣の額が画像プリントサービスの料金２０３以下の場合（Ｓ１０３；ＮＯ）、写真撮影装置２はユーザによって入金された貨幣の総額と画像プリントサービスの料金２０３を比較する（Ｓ１０４）。
【００６９】
入金された貨幣の総額が画像プリントサービスの料金２０３未満であれば（Ｓ１０４；ＮＯ）、前記と同様入金待ちの状態となり再度入金が行われるのを待つ。
【００７０】
入金された貨幣の総額が画像プリントサービスの料金２０３以上であれば（Ｓ１０４；ＹＥＳ）、前記したＳ２８（図１０参照）に移行し、ダウンロードした画像のプリントが行われる。
【００７１】
Ｓ２８で画像のプリントが行われた後の処理は前記と同様であり、お釣りが生じる場合は図１２（ｅ）に示す釣銭返却画面５００を表示部２１に表示して釣銭の返却を行い、その後図１２（ｆ）に示す表示画面６００を表示部２１に表示させる。お釣りが無い場合は画像のプリント後に直接表示画面６００の表示を行う。
【００７２】
一方、写真撮影装置２は、Ｓ１０３において、入金された貨幣の額が画像プリントサービスの料金２０３を超えると判定された場合（Ｓ１０３；ＹＥＳ）、図１２（ｇ）に示す返金画面７００を表示し、ユーザによって入金された貨幣の総額を返金して（Ｓ１０５）、Ｓ２１（図１０参照）に戻り、トップ画面１００を再度表示する。
【００７３】
図１２（ｇ）に示すように、返金画面７００では、返金を行う旨のメッセージ７０１、返金額７０２、入金する貨幣の額が画像プリントサービスの料金２０３を超えないようにお願いするメッセージ７０３も表示される。
【００７４】
このように、本実施形態では、低額の画像プリントサービスが選択された場合に、必要な料金２０３を超える額の貨幣が入金されると返金を行い、プリントを不可とする。例えば画像プリントサービスの料金２０３が１００円の場合、１００円以下の貨幣（１０円硬貨、５０円硬貨、１００円硬貨等）の入金によるプリントは可能であるが、１００円より大きな額の貨幣（５００円硬貨や１０００円紙幣等）の入金によるプリントはできず、その代わりに返金が行われる。このように、画像プリントサービスの料金２０３より大きな額の貨幣の入金によるプリントを不可とすることで、装置にストックされた釣銭の消費ペースを遅くすることができる。一方、高額の写真撮影サービスでは通常通りの処理が行われ、写真撮影サービスに必要な料金４０２を超える額の貨幣の入金が行われた場合、前記のＳ１０２の判定でＹＥＳとなりプリントが行われる。
【００７５】
以上説明したように、本実施形態の写真撮影装置２では画像プリントサービスにおいて低額の料金２０３を徴収するが、この際、当該料金２０３を超える額の貨幣の入金がされた場合に返金を行い、プリントを不可とすることで、釣銭の消費ペースを抑制することが可能となる。そのため、釣銭切れによるサービス停止や釣銭補充のためのスタッフ巡回による運用コスト増加を防ぐことが可能となる。
【００７６】
一方、写真撮影サービスの場合は、画像プリントサービスの場合よりも高額の料金４０２を徴収するが、この場合は当該料金４０２を超える額の貨幣の入金によるプリントを可とし、サービスを従来通り提供することができる。
【００７７】
しかしながら、本発明は上記の実施形態に限らない。例えば本実施形態では前記のＳ１０３（図１１参照）において入金された貨幣の額と画像プリントサービスの料金２０３を比較する処理を行っているが、画像プリントサービスの料金２０３を超える額の貨幣の入金自体ができないようにしてもよい。例えば前記のＳ２２（図１０参照）で画像プリントサービスが選択された場合、写真撮影装置２は紙幣投入口２２６のシャッター（不図示）を閉じて物理的に紙幣が投入されないようにする。
【００７８】
また、写真撮影装置２は、画像プリントサービスの料金２０３と同額の貨幣の入金がされた場合のみプリントを行うようにしてもよく、この場合には釣銭が発生しなくなる。例えば前記のＳ１０３（図１１参照）において、入金された貨幣の額と画像プリントサービスの料金２０３とを比較し、入金された貨幣の額が画像プリントサービスの料金２０３と同額でない場合にはＳ１０５の処理に移行して入金された貨幣を返金する。一方、同額の場合にはＳ２８の処理に移行しプリントを行えばよい。
【００７９】
また画像プリントサービスの場合では、前記の課金画面２００（図１２（ｂ）参照）に代えて図１３（ａ）に示す課金画面２００ａを表示し、ＩＣカード等を利用した電子マネーによる入金を選択可能としてもよい。この課金画面２００ａでは、前記の課金画面２００と同様、サーバ３から受信した画像２０２、課金を促すメッセージ２０１、画像プリントサービスの料金２０３、ユーザによって入金された貨幣の総額（入金額）２０４が表示される他、電子マネーによる入金に誘導するためのメッセージ２０５と電子マネーによる入金を選択するための選択ボタン２０６が表示される。
【００８０】
ユーザにより選択ボタン２０６がタッチされると、電子マネー決済に移行し、写真撮影装置２は図１３（ｂ）に示す電子マネー決済画面２００ｂを表示部２１に表示する。電子マネー決済画面２００ｂではＩＣカードをＩＣカードＲ／Ｗ２２４に読み取らせることを促すメッセージ２０７や画像プリントサービスの料金２０３が表示されており、ユーザがＩＣカードをＩＣカードＲ／Ｗ２２４で読み取らせると、電子マネー決済画面２００ｂにカード残額２０９が表示され、電子マネーによる入金が行われる。
【００８１】
この場合のフローが図１４であり、写真撮影装置２はカード残額２０９と画像プリントサービスの料金２０３を比較し（Ｓ１１１）、カード残額２０９が画像プリントサービスの料金２０３以上の場合（Ｓ１１１；ＹＥＳ）、当該料金２０３と同額の入金がＩＣカードから行われ、Ｓ２８（図１０参照）に移行して画像のプリントが実行される。
【００８２】
一方、カード残額２０９が画像プリントサービスの料金２０３未満の場合（Ｓ１１１；ＮＯ）、カード残額２０９が不足しておりＩＣカードによって料金の支払いができない旨のメッセージを表示部２１に表示するなどしてＳ２１（図１０参照）の処理に戻る。表示部２１には当該メッセージの他、Ｓ２１の処理に戻るためのキャンセルボタンを表示させてもよい。このように、電子マネーによる決済に誘導することでも釣銭の発生自体を防ぐことができ、丁度良い貨幣の持ち合わせがないユーザでもサービスを利用することが可能となる。
【００８３】
その他、ユーザによる入金は、メニュー画面３００（図１２（ｃ）参照）において写真撮影サービスのメニューを選択する以前、またはトップ画面１００（図１２（ａ）参照）において画像プリントサービスを選択する以前に行うことも可能である。この場合、メニュー画面３００において写真撮影サービスのメニューを選択した時点、またはトップ画面１００において画像プリントサービスを選択した時点でそれぞれ図１１と略同様のフローを実行することができる。
【００８４】
前者の場合（ユーザによる入金が写真撮影サービスのメニューを選択する以前に行われていた場合）のフローの例が図１５（ａ）であり、メニューの選択以前に入金された貨幣の総額と写真撮影サービスの料金４０２を比較し（Ｓ１２１）、入金された貨幣の総額が写真撮影サービスの料金４０２未満の場合（Ｓ１２１；ＮＯ）、その後にＳ３０（図１０参照）で追加の入金がされるのを待つ。一方、入金された貨幣の総額が写真撮影サービスの料金４０２以上の場合（Ｓ１２１；ＹＥＳ）はＳ３０をスキップしてＳ３１の処理に移行し、ユーザの撮影を行う。
【００８５】
後者の場合（ユーザによる入金が画像プリントサービスを選択する以前に行われていた場合）のフローの例が図１５（ｂ）であり、画像プリントサービスの選択以前に、画像プリントサービスの料金２０３を超える額の貨幣の入金が少なくとも１回されていれば（Ｓ１３１；ＹＥＳ）、前記と同様に入金された貨幣の総額を返金（Ｓ１３２）してＳ２１に戻り、そうでなければ（Ｓ１３１；ＮＯ）、入金された貨幣の総額と画像プリントサービスの料金２０３を比較する（Ｓ１３３）。
【００８６】
この比較については前記と同様であり、入金された貨幣の総額が画像プリントサービスの料金２０３未満の場合（Ｓ１３３；ＮＯ）、図１０のＳ２３〜Ｓ２６の処理の後、Ｓ２７で追加の入金がされるのを待つ。入金された貨幣の総額が画像プリントサービスの料金２０３以上の場合（Ｓ１３３；ＹＥＳ）、Ｓ２３〜Ｓ２６の処理の後、Ｓ２７の処理をスキップしてＳ２８の処理に移行し、画像のプリントを行う。
【００８７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８８】
１：画像プリントシステム
２：写真撮影装置
３：サーバ
５：ユーザ端末
６：ネットワーク
２０：制御装置
２１：表示部
２２、１４０：課金部
２３、１１０：撮影部
２４：照明
２５：プリンタ
２７：カーテン
２８：プリント物取出口
１００：トップ画面
１２０：ダウンロード部
１３０：プリント部
２００、２００ａ、４００：課金画面
２００ｂ：電子マネー決済画面
３００：メニュー画面
５００：釣銭返却画面
６００：表示画面
７００：返金画面
【図１】
2019160009.tif 000003
【図２】
2019160009.tif 000004
【図３】
2019160009.tif 000005
【図４】
2019160009.tif 000006
【図５】
2019160009.tif 000007
【図６】
2019160009.tif 000008
【図７】
2019160009.tif 000009
【図８】
2019160009.tif 000010
【図９】
2019160009.tif 000011
【図１０】
2019160009.tif 000012
【図１１】
2019160009.tif 000013
【図１２】
2019160009.tif 000014
【図１３】
2019160009.tif 000015
【図１４】
2019160009.tif 000016
【図１５】
2019160009.tif 000017